(57)【要約】      （修正有）【課題】物品又は機材に関係する日限管理、運用履歴管理、検査校正依頼を総合的に行う物品・機材管理システムを提供する。【解決手段】物品又は機材の各々に取り付けられ、それぞれ固有の情報を読み取り及び書き込み可能なＩＣタグと、これら各ＩＣタグに保存されている情報とこれが取付けられた物品又は機材とが対応付けられて個別に保管されている機材情報保管部と、ＩＣタグに保存されている情報を読み取るリーダライタ１３と、このリーダライタ１３に対して、予め設定された目的にしたがってＩＣタグからの情報読取指令を与え、読み取った情報と機材情報保管部に保管されている情報との照合を行うと共に、読み取った情報を機材情報保管部に記憶させるタグ情報管理部１２と、を備えたことを特徴とする物品・機材管理システム。【選択図】図１
2009012975.tif 000002
【特許請求の範囲】
【請求項１】
物品又は機材に取り付けられ、それぞれ固有の情報を読み取り及び書き込み可能なＩＣタグと、
これら各ＩＣタグに保存されている情報とこれが取付けられた物品又は機材とが対応付けられて個別に保管されている機材情報保管部と、
前記ＩＣタグに保存されている情報を読み取るリーダライタと、
このリーダライタに対して、予め設定された目的にしたがって前記ＩＣタグからの情報読取指令を与え、読み取った情報と前記機材情報保管部に保管されている情報との照合を行うと共に、読み取った情報を前記機材情報保管部に記憶させるタグ情報管理部と
を備えたことを特徴とする物品・機材管理システム。
【請求項２】
物品又は機材に取り付けられ、それぞれ固有の情報を読み取り及び書き込み可能なＩＣタグと、
各ＩＣタグに保存されている情報とこれが取付けられた物品又は機材とが対応付けられて個別に保管されている機材情報保管部と、
前記ＩＣタグに保存されている情報を読み取るリーダライタと、
このリーダライタに対して、予め設定された目的にしたがって前記ＩＣタグからの情報読取指令を与え、読み取った情報と前記機材情報保管部に保管されている情報との照合を行うと共に、読み取った情報を前記機材情報保管部に記憶させるタグ情報管理部と、
を備えた物品・機材管理システムであって、
センター側にサーバを設け、前記機材情報保管部は、センター側サーバのマスターデータベースとデータリンクしており、サーバが有するデータの、少なくとも一部を切り出したレプリカデータベースとして構成されている
ことを特徴とする物品・機材管理システム。
【請求項３】
前記リーダライタ及びタグ情報管理部と同等の機能を有するリーダライタ及びタグ情報管理部と、前記レプリカデータベースと必要な情報のデータリンクを行う記憶部とを一体構成した可搬型の作業管理用端末をさらに有することを特徴とする請求項２に記載の物品・機材管理システム。
【請求項４】
前記可搬型の作業管理端末を作動させるプログラムは、前記サーバが有するアプリケーションプログラムの対応するファイルを、ＣＳＶデータとしてＬＡＮによりＦＴＰ転送で受け渡されるものであることを特徴とする請求項３に記載の物品・機材管理システム。
【請求項５】
前記可搬型の作業管理端末は、ＩＣタグが取り付けられた物品又は機材のＧＰＳによる位置情報を入力可能に構成されており、前記リーダライタにより読み取られたＩＣタグ情報と共に、このＩＣタグが取り付けられた物品又は機材の位置情報を、前記レプリカデータベース又はサーバのマスターデータベースに出力可能に構成されていることを特徴とする請求項３に記載の物品・機材管理システム。
【請求項６】
前記タグ情報管理部は、前記物品又は機材の貸出管理を目的とした場合、
前記物品又は機材に関する利用申請を受け付けると、前記機材情報保管部における貸出可能な該当する物品又は機材の有無を検索し、貸出可能な物品又は機材についてはそのタグ情報を読み出し、管理番号を発番して、申請者に対して貸出可能であることを通知する受付手段と、
前記リーダライタが、前記物品又は機材の貸出時に該当する物品又は機材のＩＣタグから読み取った情報を、該当する前記物品又は機材の貸し出し中情報として前記機材情報保管部に記憶させ、前記物品又は機材の返却時に該当する物品又は機材のＩＣタグから読み取った情報を、貸出中解除情報として前記機材情報保管部に作用させる貸出情報管理手段と
を有することを特徴とする請求項1乃至５のいずれか１項に記載の物品・機材管理システム。
【請求項７】
前記タグ情報管理部は、貸出対象の物品又は機材に携行される、貸出／返却確認書を、前記管理番号を付して出力する貸出管理手段を有し、
返却される貸出対象の物品又は機材に携行される前記貸出／返却確認書を読み取るスキャナと、
このスキャナによって読み取られた貸出／返却確認書の内容を文書管理保存部に格納させる文書管理手段と
をさらに備えた請求項６に記載の物品・機材管理システム。
【請求項８】
前記タグ情報管理部の受付手段は、受け付けた利用申請に、貸出対象物品又は機材に関する資料要求がある場合は、前記文書管理手段に資料要求を行う機能を有し、
前記文書管理手段は前記資料要求を受けると、文書管理番号を発番して、前記文書管理保存部に保持されている該当する資料を前記文書管理番号と共に出力する機能を有し、
さらに、この文書管理手段は、前記スキャナによる使用後の前記資料の読み取りデータを前記文書管理保存部に格納させる機能を有する
ことを特徴とする請求項７に記載の物品・機材管理システム。
【請求項９】
前記タグ情報管理部は、前記物品又は機材の校正又は修理の管理を目的とした場合、
前記物品又は機材に関する校正又は修理の依頼を受け付けると、該当する物品又は機材の情報を前記機材情報保管部から抽出し、対象の物品又は機材に携行される、校正依頼／返却確認書を、管理番号を付して出力する校正又は修理依頼手段を有し、
前記リーダライタが、前記物品又は機材の校正又は修理依頼時に、該当する物品又は機材のＩＣタグから読み取った情報を、該当する前記物品又は機材の校正又は修理依頼中情報として前記機材情報保管部に記憶させ、前記物品又は機材の返却時に、該当する物品又は機材のＩＣタグから読み取った情報を、校正又は修理依頼中解除情報として前記機材情報保管部に作用させる校正又は修理依頼情報管理手段と
返却される校正又は修理済の物品又は機材に携行される前記校正依頼／返却確認書を読み取るスキャナと、
このスキャナによって読み取られた校正依頼／返却確認書の内容を文書管理保存部に格納させる文書管理手段と
をさらに備えたことを特徴とする請求項１乃至５のいずれか１項に記載の物品・機材管理システム。
【請求項１０】
前記校正又は修理依頼手段は、試験成績書や検査記録などの資料を、前記文書管理手段に資料要求を行う機能を有し、
前記文書管理手段は前記資料要求を受けると、文書管理番号を発番して、前記文書管理保存部に保持されている該当する資料を前記文書管理番号と共に出力する機能を有し、
さらに、この文書管理手段は、前記スキャナによる使用後の前記資料の読み取りデータを前記文書管理保存部に格納させる機能を有する
ことを特徴とする請求項９に記載の物品・機材管理システム。
【請求項１１】
前記可搬型作業管理用端末のタグ情報管理部は、
予め定められた複数の作業パターンのうちの任意の作業パターンを設定可能な作業パターン設定部を有し、
この作業パターン設定部に設定された作業パターンにより定まる作業手順にしたがって、前記可搬型作業管理用端末のリーダライタによるＩＣタグの読み取りを指示するＩＣタグ読み取り指示手段を有する
ことを特徴とする請求項３乃至５のいずれか１項に記載の物品・機材管理システム。
【請求項１２】
前記作業パターンは員数チェックであり、作業手順は、物品又は機材名を指定して、対応する物品又は機材のＩＣタグを読み取ることを特徴とする請求項１１に記載の物品・機材管理システム。
【請求項１３】
前記作業パターンは順序チェックであり、作業手順は、物品又は機材に対する前記ＩＣタグの読み取り順序を指定して、対応する物品又は機材のＩＣタグを、指定された順序通りに読み取らせることを特徴とする請求項１１に記載の物品・機材管理システム。
【請求項１４】
前記作業パターンは時間チェックであり、作業手順は、物品又は機材に対するＩＣタグ読み取り時間を指定して、対応する物品又は機材のＩＣタグを、指定された時間通りに読み取らせることを特徴とする請求項１１に記載の物品・機材管理システム。
【発明の詳細な説明】
【技術分野】
【０００１】
本発明は、物品又は機材に関係する日限管理、運用履歴管理、検査校正依頼管理を行う物品・機材管理システムに関する。
【背景技術】
【０００２】
現場では様々な工具・道具（試験機器・工事用機材などを含む）を使用する。通常、これら工具・道具は品質や作業効率を確保するためセンターで一元管理され、利用者に貸し出される。そして、現場での使用後にセンターへ返却される仕組みとなっている。また、工具・道具は定期的な検査や校正を必要とする物が多く、その検査校正記録、運用履歴を長期間保管する事が必要である。一般に、貸出・返却作業や検査校正作業はペーパーワークが多い。そのため、大量の検査校正記録、現場測定データなどの品質記録は、紙としてバインダー保管されるか、あるいは、記録用紙をスキャナで取り込んで電子ファイルとして保管される。
また、道具・工具で不適合が発見されると、前回の検査校正から今回発生した不適合までの運用履歴を調査し、その間のデータに問題がないか確認し、問題がある場合には是正する必要がある。
しかし、単にバインダー保管や電子ファイルとされたものの中から目的の記録を探すことは、膨大な手間と時間を要する。したがって、工具道具の貸出・返却記録、検査校正記録、運用履歴、測定記録などを総合的に管理する必要がある。同時に、ペーパーワーク作業を電子システム化し、効率化を図ると共に各種記録をいつでも即座に探し出せることが望まれる。
そこで、上記の問題を解決する技術として、ＩＣタグを利用して道具・工具や物品を管理するシステムが知られている（例えば、特許文献１および特許文献２）。
【特許文献１】特開２００６−０９８０７４号公報
【特許文献２】特開２００６−１５９３１１号公報
【発明の開示】
【発明が解決しようとする課題】
【０００３】
しかしながら、上記の技術においては、作業、管理、および運用がそれぞれ単独で動作しており、効率的でないという問題があった。
そこで、本発明は、物品又は機材に関係する日限管理、運用履歴管理、検査校正依頼管理などを総合的に行う物品・機材管理システムを提供することを目的とする。
【課題を解決するための手段】
【０００４】
本発明に係る物品・機材管理システムは、物品又は機材に取り付けられ、それぞれ固有の情報を読み取り及び書き込み可能なＩＣタグと、これら各ＩＣタグに保存されている情報とこれが取付けられた物品又は機材とが対応付けられて個別に保管されている機材情報保管部と、前記ＩＣタグに保存されている情報を読み取るリーダライタと、このリーダライタに対して、予め設定された目的にしたがって前記ＩＣタグからの情報読取指令を与え、読み取った情報と前記機材情報保管部に保管されている情報との照合を行うと共に、読み取った情報を前記機材情報保管部に記憶させるタグ情報管理部とを備えたことを特徴とする。
【発明の効果】
【０００５】
本発明によれば、物品又は機材に関係する日限管理、運用履歴管理、検査校正依頼管理などを総合的に行う物品・機材管理システムが提供される。
【発明を実施するための最良の形態】
【０００６】
以下、本発明の実施形態について図面を用いて説明する。尚、各図において同一箇所については同一の符号を付すとともに、重複した説明は省略する。
【０００７】
図１は、本発明の一実施形態に係る物品・機材管理システムの全体構成例を示す概略図である。また、図２は、本実施形態に係る物品・機材管理システムにおけるデータベースの相互関係を説明する図である。
【０００８】
図１に示されるように、本実施形態に係る物品・機材管理システムは、センターシステム１とこれにネットワーク（図示しない）を介して接続された現場システム２から構成され、物品又は機材（以下、物品・機材）に付されたＩＣタグ３のタグ情報に基づいて物品・機材を管理するコンピュータシステムである。
【０００９】
センターシステム１は、管理サーバ１１、センター管理端末１２、固定型ＩＣタグリーダライタ１３、およびスキャナ１４から構成されている。
【００１０】
また、現場システム２は、利用者端末２１、現場管理端末２２、固定型ＩＣタグリーダライタ２３、およびＩＣタグ読取・書込機能を有する可搬型の作業管理端末（以下、可搬型ＩＣタグリーダライタ）２４から構成されており、利用者端末２１および現場管理端末２２はネットワークを介してセンターシステム１の管理サーバ１１およびセンター管理端末１２に接続されている。
【００１１】
センターシステムの構成
センター管理端末１２は、ＬＡＮなどを介して管理サーバ１１に接続され、管理サーバ１１と一体となって物品・機材に係る情報の入出力を行うコンピュータである。また、センター管理端末１２には、固定型ＩＣタグリーダライタ１３が接続されており、ＩＣタグ３に対する初期設定およびタグ情報の読取りによる貸出・返却の確認などが行われる。
【００１２】
このセンター管理端末１２は、物品・機材をＩＣタグ３のタグ情報に基づいて管理するタグ情報管理部として機能するコンピュータであり、固定型ＩＣタグリーダライタ１３に対して予め設定された目的にしたがってＩＣタグ３からの情報読取指令を与え、読み取った情報と後述する機材情報保管部に保管されている情報との照合を行うと共に、読み取った情報を機材情報保管部に記憶させる。
【００１３】
図３は、センター管理端末１２の構成を説明するブロック図である。同図に示されるように、センター管理端末１２は、マスターＤＢ１２１（管理サーバ１１と共用）、通信手段１２２、受付手段１２３、貸出情報管理手段１２４、貸出管理手段１２５、文書管理手段１２６、校正依頼手段１２７、校正依頼情報管理手段１２８、および位置情報管理手段１２９を備えている。
【００１４】
マスターＤＢ１２１は、機材情報保管部となるＤＢ１２１Ａ、地図情報保管部となるＤＢ１２１Ｂ、文書管理保存部となるＤＢ１２１Ｃ、利用申請受付番号保管部となるＤＢ１２１Ｄ、および文書管理番号保管部となるＤＢ１２１Ｅから構成されるデータベースである。
【００１５】
機材情報保管ＤＢ１２１Ａは、物品・機材の識別番号、物品・機材名称、使用履歴、物品・機材状況、校正（修理）依頼日、返却予定日、関連文書コード、貼付タグＩＤなどを記憶項目とし、各ＩＣタグに保存されている情報とこれが取付けられた物品・機材を対応付け、個別に保管されている物品・機材とＩＣタグ３の対応関係を管理するデータベースである。
【００１６】
地図情報保管ＤＢ１２１Ｂは、本システムにおいて現場となる各地域の地図情報及び各種物品・機材が設置された経度、緯度、高度などの位置情報を記憶するデータベースである。
【００１７】
文書管理保存ＤＢ１２１Ｃは、物品・機材の識別番号、関連文書コードなどを記憶項目とし、試験用紙の雛形ファイルや試験結果ファイルを記憶するデータベースである。
【００１８】
利用申請受付番号保管ＤＢ１２１Ｄは、利用者端末２１からの利用申請に応じて発番された利用申請受付番号、利用申請者名、利用申請日などを物品・機材と関連付けて記憶するデータベースである。
【００１９】
文書管理番号保管ＤＢ１２１Ｅは、文書管理番号、文書管理番号発番日などを物品・機材と関連付けて記憶するデータベースである。
【００２０】
通信手段１２２は、ネットワークを介して管理サーバ１１、現場管理端末２２、およびスキャナ１４と通信を行う装置である。また、機材情報保管ＤＢ１２１Ａを参照し、返却予定日を過ぎた物品・機材の利用者に対してメールを自動送信する機能も有する。
【００２１】
受付手段１２３は、利用者端末２１から物品・機材の利用申請を受け付けると、利用申請がなされた物品・機材名などをキーとして機材情報保管ＤＢ１２１Ａを検索し、貸出可能な物品・機材の有無を判定するプログラムである。そして、貸出可能な物品・機材についてはそのタグ情報を読み出し、管理番号を発番して、利用者端末に対して貸出可能であることを通知する。
【００２２】
貸出情報管理手段１２４は、貸出が許可された物品・機材のＩＣタグの情報が、貸出時や返却時にリーダライタによって読取られると、ＩＣタグから読み取った情報に基づいて機材情報保管ＤＢ１２１Ａの貸出情報を更新するプログラムである。
【００２３】
貸出管理手段１２５は、物品・機材の貸出又は返却時に用いられる貸出／返却確認書および試験用紙などの資料の各々に対して管理番号を付して出力するプログラムである。
【００２４】
文書管理手段１２６は、スキャナ１４から出力される各種資料の読み取りデータを文書管理保存ＤＢ１２１Ｃに格納するプログラムである。また、この文書管理手段１２６は、利用申請受付時の資料要求に基づいて文書管理保存ＤＢ１２１Ｃから文書データを抽出する機能も有する。
【００２５】
校正依頼手段１２７は、物品・機材に関する校正又は修理の依頼を受け付けると、該当する物品・機材の情報を機材情報保管ＤＢ１２１Ａから抽出し、対象の物品・機材に携行される校正依頼／返却確認書を、文書管理番号を付して出力するプログラムである。
【００２６】
校正依頼情報管理手段１２８は、校正又は修理の対象となる物品・機材に付されたＩＣタグ３のタグ情報がリーダライタにおいて読取られると、ＩＣタグ３から読み取ったタグ情報に基づいて機材情報保管ＤＢ１２１Ａの校正依頼情報を更新するプログラムである。
【００２７】
位置情報管理手段１２９は、現場システム２において取得されたＩＣタグ３の位置情報を地図情報保管ＤＢ１２１Ｂに記憶された地図データに当てはめて出力するプログラムである。
【００２８】
固定型ＩＣタグリーダライタ１３は、センター管理端末１２にＵＳＢケーブルなどを介して接続されており、物品・機材に付されたＩＣタグ３と無線通信を行い、タグ情報の読込み・書込みを行う装置である。
【００２９】
（２）現場システムの構成
利用者端末２１は、利用者から入力される物品・機材の利用申請を管理サーバに送信し、この利用申請情報に応じてセンター管理端末１２から返される情報を表示するコンピュータなどの装置である。
【００３０】
現場管理端末２２は、現場においてタグ情報管理部として機能するコンピュータである。図４は、現場管理端末２２の構成を説明するブロック図である。同図に示されるように、現場管理端末２２は、レプリカＤＢ２２１、通信手段２２２、貸出情報管理手段２２３、データリンク手段２２４、および位置情報管理手段２２５から構成されている。
【００３１】
レプリカＤＢ２２１は、現場管理に必要とされる機材情報保管ＤＢ２２１Ａおよび地図情報保管ＤＢ２２１Ｂから構成されており、センターシステム１のマスターＤＢ１２１の有するデータの少なくとも一部をレプリカとして切り出したデータベースである。尚、このレプリカＤＢ２２１は、センターシステム１側のマスターＤＢ１２１と同じデータ構成でもよい。
【００３２】
機材情報保管ＤＢ２２１Ａおよび地図情報保管ＤＢ２２１Ｂは、データリンク手段２２４によってセンターシステム１側のマスターＤＢ１２１とデータリンクが行われている。すなわち、現場管理端末２２側でのレプリカＤＢ２２１の更新により、センターシステム１側のマスターＤＢ１２１が更新される。例えば、リーダライタにおいて読取られたタグ情報が現場管理端末２２に出力されると、このデータが通信手段２２２からセンター１側に送信されてマスターＤＢ１２１が更新される。
【００３３】
通信手段２２２、貸出情報管理手段２２３、および位置情報管理手段２２５は、現場管理端末２２においてセンター管理端末１２内の通信手段１２２、貸出情報管理手段１２４、および位置情報管理手段１２９と同様の処理を行う装置若しくはプログラムである。
【００３４】
データリンク手段２２４は、レプリカＤＢ２２１とセンターシステム１のマスターＤＢ１２１の記憶内容を比較し、データの同期をとるプログラムである。
【００３５】
固定型ＩＣタグリーダライタ２３は、現場管理端末２２にＵＳＢケーブルなどを介して接続されており、現場管理端末２２からの要求に基づいてＩＣタグ３と無線通信を行い、タグ情報の読込・書込みを行う装置である。
【００３６】
図５乃至図１３は、固定型ＩＣタグリーダライタ２３と現場管理端末２２との間で行われるデータ読取り等の動作を説明するシーケンス図である。尚、センター管理端末１２と固定型ＩＣタグリーダライタ１３の通信方法も同様である。
【００３７】
固定型ＩＣタグリーダライタ２３との通信はインベントリ処理、読取り処理、書込み処理、およびリーダライタ制御の４つに大別される。ここでは、現場管理端末２２内のアプリケーションプログラムおよびサービスプログラムが記憶領域の共有フォルダを参照して固定型ＩＣタグリーダライタ２３を制御する。以下、各処理について説明する。
【００３８】
（ａ）インベントリ処理
図５は、インベントリ処理の具体例を示すシーケンス図である。固定型ＩＣタグリーダライタ２３においてＩＣタグ３からの無線電波が受信されると、サービスプログラムは、共有フォルダ内のインベントリフォルダへインベントリ通知情報を格納する。アプリケーションプログラム（ＡＰＬ）は、共有フォルダを常時監視しており、インベントリフォルダ内のインベントリ通知情報の有無によってＩＣタグの検出を行う。
【００３９】
また、図５においては、ＩＣタグＡからの無線電波の受信の度に固定型ＩＣタグリーダライタ２３からサービスプログラムに情報が伝えられるが、サービスプログラムは、ＩＣタグＡのインベントリ通知情報を確実に受信できた、例えば最初の一回のみ出力する制御を行う。
【００４０】
図６は、インベントリ処理における重複読込みロックを説明するシーケンス図である。ここでは、固定型ＩＣタグリーダライタ２３のタグ検出エリアからＩＣタグＡが一定周期外されることを条件に、サービスプログラムが、ＩＣタグＡについてのインベントリ通知情報を出力することを示している。すなわち、操作誤りによりＩＣタグが短時間の内に繰返し検出エリアに入った場合の重複読込をロックする。
【００４１】
図７は、複数のＩＣタグを対象としたインベントリ処理を説明するシーケンス図である。ここでは、最初にＩＣタグＡ、Ｂがタグ検出エリア内に置かれ、サービスプログラムがＩＣタグＡ、Ｂについてのインベントリ通知情報を出力する。次に、ＩＣタグＡのみがタグ検出エリア内から外され、代わりにＩＣタグＣが置かれると、サービスプログラムはＩＣタグＣについてのインベントリ通知情報を出力する。しかし、ＩＣタグＢについては既に出力済みであるのでインベントリ通知情報は出力しない。
【００４２】
（ｂ）読取り処理
図８は、読込み処理の具体例を示すシーケンス図である。インベントリ処理においてＩＣタグが検出されると、アプリケーションプログラムは、共有フォルダ内のインベントリフォルダの情報に基づき、サービスプログラムに対してタグＩＤの返信要求を行う。サービスプログラムは、タグＩＤの返信要求に基づいて固定型ＩＣタグリーダライタ２３にタグＩＤの返信を要求する。そして、返信されるタグＩＤがリードフォルダに格納され、アプリケーションプログラムは、検出したＩＣタグがタグ検出エリア内に存在することを確認する。
【００４３】
次に、アプリケーションプログラムは、リードフォルダ内の情報に基づいてＩＣタグからのタグ情報の読取りを要求する。サービスプログラムは、この要求に基づいて固定型ＩＣタグリーダライタ２３から対象となるＩＣタグのタグ情報を取得し、リードリターンフォルダへ格納する。そして、アプリケーションプログラムは、リードリターンフォルダの情報に基づいてタグ情報を利用することができる。
【００４４】
図９は、読込み処理において異常が発生した場合の処理を説明するシーケンス図である。ここでは、アプリケーションプログラムからのタグ情報の読込み要求に対する処理の中でＩＣタグの検出が出来ず、固定型ＩＣタグリーダライタ２３からサービスプログラムにタグの検出エラーが出力されている。
【００４５】
（ｃ）書込み処理
図１０は、書込み処理の具体例を示すシーケンス図である。インベントリ処理においてＩＣタグの存在が検出されると、アプリケーションプログラムは、共有フォルダ内のインベントリフォルダの情報に基づいてタグＩＤの返信要求をサービスプログラムに対して行う。サービスプログラムは、この返信要求に基づいて固定型ＩＣタグリーダライタ２３にタグＩＤの返信を要求し、返信されるタグＩＤがライトリターンフォルダに格納され、アプリケーションプログラムは、インベントリ処理で検出したＩＣタグがタグ検出エリア内に存在することを確認する。
【００４６】
次に、アプリケーションプログラムは、ライトフォルダ内の情報に基づいてＩＣタグに対してタグ情報の書き込みを要求する。サービスプログラムは、この要求に基づいて固定型ＩＣタグリーダライタ２３によって対象となるＩＣタグに対してタグ情報を書込み、書込み処理の結果をライトリターンフォルダへ格納する。これにより、アプリケーションプログラムは、ライトリターンフォルダの情報に基づいてタグ情報の書込み処理の結果を判定できる。
【００４７】
図１１は、書込み処理において異常が発生した場合の処理を説明するシーケンス図である。ここでは、アプリケーションプログラムからのタグ情報の書込み要求に対する処理中にＩＣタグの検出が出来ず、固定型ＩＣタグリーダライタ２３からサービスプログラムにタグの検出エラーが出力されている。
【００４８】
（ｄ）リーダライタ制御
図１２は、固定型ＩＣタグリーダライタ２３との通信の制御を説明するシーケンス図である。ここでは、固定型ＩＣタグリーダライタ２３とサービスプログラムの間では通信が行われている。そして、アプリケーションプログラムから共有フォルダのコントロールリターンフォルダにリーダライタ停止要求情報が格納されると、この情報に基づいてサービスプログラムは固定型ＩＣタグリーダライタ２３との通信を一定周期停止する。そして、コントロールリターンフォルダにリーダライタ開始要求情報が格納されると、この情報に基づいて固定型ＩＣタグリーダライタ２３との通信を再開する。
【００４９】
図１３は、固定型ＩＣタグリーダライタ２３において異常が生じた場合を説明するシーケンス図である。ここでは、サービスプログラムに対する応答が一定周期無かった場合に、サービスプログラムがコントロールフォルダ内にリーダライタ異常発生通知情報を出力する。これにより、アプリケーションプログラムは、この異常発生通知情報の有無によって固定型ＩＣタグリーダライタ２３の異常発生を判定する。
【００５０】
可搬型ＩＣタグリーダライタ２４は、ＩＣタグ３との無線通信によりタグ情報の読込・書込みを行い、タグ情報管理部としても機能する可搬型の作業管理端末である。
【００５１】
図１４は、可搬型ＩＣタグリーダライタ２４の構成を説明するブロック図である。同図に示されるように、可搬型ＩＣタグリーダライタ２４は、図示を省略したリーダライタ部の他に、記憶部２４１、無線通信手段２４２、作業パターン設定手段２４３、および読取り指示手段２４４を有する。
【００５２】
記憶部２４１は、現場管理端末２２のレプリカＤＢ２２１の少なくとも一部の情報を記憶するフラッシュメモリなどの記憶装置である。
【００５３】
無線通信手段２４２は、周波数の相違に基づいて現場管理端末２２、ＧＰＳ端末２５、およびＩＣタグ３との無線通信を行うプログラムである。図１５は、可搬型ＩＣタグリーダライタ２４における無線通信の具体例を示す図である。可搬型ＩＣタグリーダライタ２４は、現場管理端末２２、ＧＰＳ端末２５、およびＩＣタグ３の各々と無線通信を行っている。
【００５４】
また、無線通信手段２４２は、管理サーバ１１および現場管理端末２２が有する各種のアプリケーションプログラムに対応するＣＳＶファイルをＦＴＰ転送で受け渡す。このＣＳＶファイルが、可搬型ＩＣタグリーダライタ２４を作動させるプログラムにおいて用いられる。
【００５５】
更に、無線通信手段２４２は、レプリカＤＢ２２１から抽出された必要な情報をＣＳＶファイルとして記憶部２２４に格納し、現場管理端末２２とデータリンクを行う。
【００５６】
作業パターン設定手段２４３は、予め定められた複数の作業パターンの中から選択された作業パターンを設定するプログラムである。
【００５７】
読取り指示手段２４４は、作業パターン設定手段２４３において設定された作業パターンにより定まる作業手順に従って、リーダライタ部によるＩＣタグ３の読み取りを指示するプログラムである。
【００５８】
＜可搬型ＩＣタグリーダライタの動作環境設定用ファイルの設定方法＞
以下、ＣＳＶファイルによる可搬型ＩＣタグリーダライタ２４のファイル設定方法を図１６乃至図２３に基づいて詳細に説明する。
【００５９】
図１６は、現場管理端末２２と可搬型ＩＣタグリーダライタ２４の通信方法を説明する図である。図１６（ａ）では、管理サーバ１１とデータリンクされている現場管理端末２２内に、可搬型ＩＣタグリーダライタ２４の動作環境設定を行うファイル（以下、動作環境設定ファイル）を管理すると共にＦＴＰ転送を行うアプリケーションプログラムが備えられている。動作環境設定ファイルは、現場管理端末２２内のＦＴＰフォルダ内に分類されて格納されている。ここでは、動作環境設定ファイルとして図１６（ｂ）で示すようにデータベースファイル、ユーザ認証ファイル、タグ詳細情報項目ファイル、メインメニューファイル、サブメニューファイル、およびメッセージファイルが格納されている。図１７乃至図２３は、各ファイルのデータ構成の具体例を示す図である。
【００６０】
現場管理端末２２が、可搬型ＩＣタグリーダライタ２４から指定される動作環境設定ファイルを無線ＬＡＮによってＦＴＰ転送すると、可搬型ＩＣタグリーダライタ２４においてＣＳＶファイルが解析され、記憶部２４１の更新処理が行われる。
【００６１】
また、可搬型ＩＣタグリーダライタ２４を用いてＩＣタグ３から取得されたタグ情報は、ＣＳＶファイルに変換されて記憶部２４１に格納される。そして、このＣＳＶファイル（タグ情報データファイル）が無線通信手段２４２によって現場管理端末２２にＦＴＰ転送されると、タグ情報データファイルに基づいてレプリカＤＢ２２１が更新される。
【００６２】
したがって、ＦＴＰ転送されるＣＳＶファイルを書き換えることによって可搬型ＩＣタグリーダライタ２４の設定を任意に変更することができる。また、ＣＳＶファイルを用いているため、各種のＯＳにおいて利用することができる。同様に、ＦＴＰは各種のＯＳが対応している通信プロトコルであるので、ＣＳＶファイルの転送のために特別なプログラムを備える必要が無い利点がある。
【００６３】
（３）物品・機材管理システムの動作
以下、上記のように構成された物品・機材管理システムにおける具体的な処理を図２４乃至図２９に基づいて説明する。
【００６４】
＜利用申請処理＞
図２４は、物品・機材の利用申請処理の具体例を示すフロー図である。
【００６５】
利用者は、物品・機材の利用申請をする場合、事前に利用者端末２１からセンターシステム１側にネットワークを介して利用申請書を送信する。送信方法としては、メールやＦＡＸなどが挙げられる。
【００６６】
物品・機材管理担当者が、利用申請書に基づいて利用申請受付・ＦＡＸ手入力画面を起動すると、受付手段１２３が、物品・機材に関する利用申請を受け付け、利用申請がなされた物品・機材名などをキーとして機材情報保管ＤＢ１２１Ａを検索し、貸出可能な物品・機材の有無を判定する。
【００６７】
次に、受付手段１２３は、貸出可能な物品・機材についてはそのタグ情報を読み出し、利用申請受付番号を発番して、利用者端末２１に対して貸出可能であることを通知する。例えば、利用申請が「テスターを利用したい」という内容の場合に、機材情報保管ＤＢ１２１Ａにテスターの在庫が存在するならば、利用申請受付番号が発番される。
【００６８】
次に、利用申請受付番号が発番されると、文書管理手段１２６が、利用申請受付確認書に対する文書管理番号を発番し、利用申請受付番号と文書管理番号が付された利用申請受付確認書を文書管理保存ＤＢ１２１Ｃに格納する。
【００６９】
そして、受付手段１２３は、利用申請受付番号が付された利用申請受付確認書を利用者端末２１に送信し、通知する。
【００７０】
また、利用申請書において資料要求がなされている場合には、受付手段１２３は、文書管理手段１２６に対して資料要求を行う。文書管理手段１２６は、物品・機材名などをキーとして文書管理保存ＤＢ１２１Ｃを検索する。ここで、物品・機材に関連する資料（例えば、試験用紙や検査記録用紙などの雛形文書）が存在するならば、当該資料のコピーに対して文書管理番号が発番され、利用申請受付番号と文書管理番号が付された資料がメールやＦＡＸなどによって利用者端末２１に出力される。この資料は、物品・機材の返却時に提出され、スキャナ１４で読込まれると、文書管理手段１２６が電子化された文書を文書管理保存ＤＢ１２１Ｃに自動的に格納する。
【００７１】
＜貸出・返却処理＞
図２５は、貸出・返却処理の具体例を示すフロー図である。
【００７２】
センター側の物品・機材の管理者が、メニュー画面において「貸出」を選択し、利用申請によって貸出が許可された物品・機材のＩＣタグの情報がリーダライタ１３又は１４で読取られると、貸出情報管理手段１２４は、ＩＣタグから読み取った情報を「貸出中情報」として機材情報保管ＤＢ１２１Ａを更新する。
【００７３】
次に、貸出管理手段１２５は、貸出／返却時に貸出／返却確認書および試験用紙などの資料に文書管理番号を付して出力する。そして、出力された貸出／返却確認書等が貸出対象の物品・機材に携行される。
【００７４】
そして、貸出された物品・機材が現場で使用され、試験データが記載された試験用紙（試験成績書、検査記録など）や現場管理者の承認印の押された貸出／返却確認書などの文書が得られる。
【００７５】
次に、センター側の物品・機材の管理者が、メニュー画面において返却を選択し、物品・機材の返却時に物品・機材と共に提出される貸出／返却確認書、試験成績書、検査記録などの文書がスキャナ１４によって読取られると、文書管理手段１２６は電子化された文書を文書管理保存ＤＢ１２１Ｃに格納する。同時に、貸出情報管理手段１２４は、物品・機材の返却時に貸出された物品・機材のＩＣタグから読み取った情報を「貸出中解除情報」として機材情報保管ＤＢ１２１Ａを更新する。
【００７６】
＜校正修理依頼処理＞
図２６は、校正依頼処理の具体例を示すフロー図である。
【００７７】
センター側の物品・機材の管理者が、メニュー画面において“校正出”を選択すると、校正依頼手段１２７は、校正（修理）依頼／返却確認書および校正試験記録用紙などの資料に文書管理番号を付して出力する。そして、出力された校正（修理）依頼／返却確認書等が貸出対象の物品・機材と共に校正（修理）依頼先に渡される。
【００７８】
ＩＣタグリーダライタで当該物品・機材に付されたＩＣタグの情報が読取られると、校正依頼情報管理手段１２８は、ＩＣタグから読み取った情報を「校正（修理）依頼中情報」として機材情報保管ＤＢ１２１Ａを更新する。
【００７９】
そして、校正（修理）依頼がなされた物品・機材が校正（修理）依頼先において使用され、校正（修理）データが記載された試験用紙（校正試験成績書など）および承認印の押された校正（修理）依頼／返却確認書が得られる。
【００８０】
校正（修理）依頼先から物品・機材が返却され、センター側の物品・機材の管理者が、メニュー画面において“校正入”を選択すると、校正依頼情報管理手段１２８は、物品・機材の校正（修理）完了時に返却される物品・機材のＩＣタグから読み取った情報を「校正（修理）依頼中解除情報」として機材情報保管ＤＢ１２１Ａを更新する。
【００８１】
また、物品・機材の校正（修理）完了時に物品・機材と共に提出される校正（修理）依頼／返却確認書、校正試験成績書などの文書がスキャナ１４によって読取られると、文書管理手段１２６が電子化された文書を文書管理保存ＤＢ１２１Ｃに格納する。
【００８２】
＜物品・機材状況更新処理＞
図２７は、機材情報保管ＤＢ１２１Ａに記憶される物品・機材状況の更新処理を説明するフロー図である。以下、物品・機材状況の変化を詳細に説明する。
【００８３】
先ず、物品・機材が機材情報保管ＤＢ１２１Ａへ新規に登録されると（ステップ２７０１）、物品・機材状況は「在庫」となり（ステップ２７０２）、貸出の対象となる。尚、在庫の物品・機材について貸出の禁止や解除の条件を付加してもよい。
【００８４】
次に、メールやＦＡＸによる利用申請が受付けられると、物品・機材状況が「仮予約」に更新される（ステップ２７０３）。
【００８５】
次に、受付担当者が承認すると物品・機材状況は「予約確定」となる（ステップ２７０４）。
【００８６】
次に、「予約確定」のまま一定期間が経過すると物品・機材状況が「予約中」に更新される（ステップ２７０５）。この物品・機材状況は貸出が完了するか、あるいは、故障が判明して貸出が不可となるまで維持される。
【００８７】
ここで、貸出が完了した場合には、物品・機材状況が「貸出中」に更新される（ステップ２７０６）。これに対し、故障により貸出が不可となった場合には、「故障中」に更新される（ステップ２７０７）。
【００８８】
現場で使用された後に物品・機材が返却されると、物品・機材状況は「返却処理中」に更新され（ステップ２７０８）、故障の有無が判定されるまで維持される。
【００８９】
ここで、“故障無”と判定され、返却担当者の承認がなされた場合には、物品・機材状況は「返却処理完了」に更新される（ステップ２７０９）。そして、倉庫に格納されると物品・機材状況は「在庫」に戻り（ステップ２７０２）、再び貸出が可能となる。
【００９０】
これに対し、“故障有”と判定された場合には、物品・機材状況が「故障中」に更新される（ステップ２７１０）。
【００９１】
また、物品・機材状況が「在庫」の物品は一定期間が経過すると校正予定リストに加えられ、物品・機材状況が「校正予約中」に更新される（ステップ２７１１）。同様に、物品・機材状況が「故障中」の場合も修理予定リストに加えられ、物品・機材状況が「修理予約中」に更新される（ステップ２７１１）。
【００９２】
次に、物品・機材状況が「校正（修理）予約中」の物品・機材は、校正（修理）依頼予定日になると校正（修理）依頼先に送られ、物品・機材状況が「校正（修理）出」に更新される（ステップ２７１２）。
【００９３】
次に、校正（修理）依頼先から校正（修理）の行われた物品・機材が返却されると、物品・機材状況が「校正（修理）返却処理中」に更新され（ステップ２７１３）、故障の有無が再度判定される。
【００９４】
ここで、故障無と判定され、校正（修理）担当者の承認がなされた場合には、物品・機材状況が「校正（修理）完了」に更新され（ステップ２７１４）、倉庫に格納されると物品・機材状況は「在庫」に戻り、再び貸出が可能となる。
【００９５】
これに対し、故障有と判定された場合には、物品・機材状況が「故障確定」に更新される（ステップ２７１５）。
【００９６】
物品・機材状況が「故障確定」の物品・機材は、一定期間後に物品・機材状況が「廃却予約中」に更新される（ステップ２７１６）。尚、物品・機材状況が「在庫」の物品・機材も在庫調整のために手動で「廃却予約中」に更新することもできる。
【００９７】
そして、担当者の承認により物品・機材が廃却されると物品・機材状況が「廃却」に更新される（ステップ２７１７）。
【００９８】
＜作業管理＞
図２８は、作業管理の具体例を示すフロー図である。
【００９９】
物品・機材管理者は、作業管理画面において所望の作業パターン（員数チェック、位置チェック、順序チェック、時間チェックなど）を作成し、機材情報保管ＤＢ１２１Ａに予め登録する。
【０１００】
現場作業員や現場管理者は、機材情報保管ＤＢ１２９Ａに記憶されている必要な作業パターンを作業パターン設定手段２４３によって可搬型ＩＣリーダライタ２４の記憶部２４１内にインストールする。
【０１０１】
ここで、「作業パターン」としては、員数チェック、位置チェック、順序チェック、時間チェックなどが挙げられる。以下、各チェックの内容を説明する。
【０１０２】
（１）員数チェック
員数チェックは、貸出を行った物品・機材の数量と返却された数量とが一致するか否かを判定する。
【０１０３】
（２）位置チェック
位置チェックは、可搬型ＩＣタグリーダライタを所持する作業員が、所定の位置に移動して試験を行ったか否かを判定する。例えば、高速道路に標識を設置する場合に、正しい位置に設置されているか否かをＧＰＳ端末２５による測定結果との照合によって判定する。
【０１０４】
（３）順序チェック
順序チェックは、作業員が所定の順序に従って試験を行ったか否かを判定する。
【０１０５】
（４）時間チェック
時間チェックは、作業員が所定の時間内に試験を行ったか否かを判定する。例えば、測定予定時刻が１０時、許容できる誤差が１分以内であるときには、１０時２分に行われた試験は無効とするチェックが該当する。
【０１０６】
現場作業員は、上記の作業パターン等がインストールされた可搬型リーダライタ２４を用いて種々のチェックを行う。このチェックデータが現場管理端末２２に送られると、データリンク手段２２４によってネットワークを介してセンターシステム１に送信される。そして、このチェックデータによって機材情報保管ＤＢ１２１Ａが更新される。
【０１０７】
また、現場においてチェックデータがプリントアウトされ、承認印が押される場合には、センター側のスキャナで読取りが行われると、電子化された文書が文書管理手段１２６によって文書管理保存ＤＢ１２１Ｃに格納される。
【０１０８】
＜物品位置測定処理＞
図２９は、物品位置測定処理の具体例を示すフロー図である。
【０１０９】
先ず、物品・機材の情報を可搬型ＩＣタグリーダライタ（ＰＤＡ）に保存する。
【０１１０】
次に、ＧＰＳ端末２５によって取得される位置情報（緯度・経度・高度）に基づいて全体地図から物品がある付近の地図を切り出し、可搬型ＩＣタグリーダライタ（ＰＤＡ）に保存すると共に、その切り出し地図をセンター側の文書管理保存ＤＢ１２１Ｃに保管する。
【０１１１】
次に、物品に取り付けられたＩＣタグのＵＩＤ（ユニークコード）を読み取る。
【０１１２】
次に、配置が決まった物品・機材の位置（緯度・経度・高度）をＧＰＳ端末２５で計測し、ＩＣタグ３に書き込む。
【０１１３】
次に、可搬型ＩＣタグリーダライタ（ＰＤＡ）に表示した地図に物品位置を登録（ポイントマーキング）する。
【０１１４】
次に、ＩＣタグ３のＵＩＤとＧＰＳ端末２５から取得される位置情報（緯度・経度・高度）を機材情報保管ＤＢ２２４Ａに登録する。
【０１１５】
そして、レプリカＤＢ２２１の情報によってセンターシステム１側のマスターＤＢ１２１が更新される。
【０１１６】
このように、可搬型ＩＣタグリーダライタ２４は、ＩＣタグ３が取り付けられた物品・機材の位置情報をＧＰＳ端末２５との無線通信により取得し、可搬型ＩＣタグリーダライタ２４で読み取られたタグ情報と共に現場管理端末２２若しくはセンター管理端末１２に出力して、データベースを更新することにより、現場側およびセンター側の双方でＩＣタグ３のＵＩＤと物品・機材の位置情報が確認可能となる。
【０１１７】
尚、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。すなわち、実施形態に示される全構成要素から幾つかの構成要素を削除してもよい。
【図面の簡単な説明】
【０１１８】
【図１】本発明の一実施形態に係る物品・機材管理システムの全体構成例を示す概略図。
【図２】本発明の一実施形態に係るデータベースの相互関係を説明する図。
【図３】本発明の一実施形態に係るセンター管理端末１２の構成を説明するブロック図。
【図４】本発明の一実施形態に係る現場管理端末２２の構成を説明するブロック図。
【図５】本発明の一実施形態に係る固定型ＩＣタグリーダライタ２３と現場管理端末２２の通信方法を示すシーケンス図。
【図６】本発明の一実施形態に係る固定型ＩＣタグリーダライタ２３と現場管理端末２２の通信方法を示すシーケンス図。
【図７】本発明の一実施形態に係る固定型ＩＣタグリーダライタ２３と現場管理端末２２の通信方法を示すシーケンス図。
【図８】本発明の一実施形態に係る固定型ＩＣタグリーダライタ２３と現場管理端末２２の通信方法を示すシーケンス図。
【図９】本発明の一実施形態に係る固定型ＩＣタグリーダライタ２３と現場管理端末２２の通信方法を示すシーケンス図。
【図１０】本発明の一実施形態に係る固定型ＩＣタグリーダライタ２３と現場管理端末２２の通信方法を示すシーケンス図。
【図１１】本発明の一実施形態に係る固定型ＩＣタグリーダライタ２３と現場管理端末２２の通信方法を示すシーケンス図。
【図１２】本発明の一実施形態に係る固定型ＩＣタグリーダライタ２３と現場管理端末２２の通信方法を示すシーケンス図。
【図１３】本発明の一実施形態に係る固定型ＩＣタグリーダライタ２３と現場管理端末２２の通信方法を示すシーケンス図。
【図１４】本発明の一実施形態に係る可搬型ＩＣタグリーダライタ２４の構成を説明するブロック図。
【図１５】本発明の一実施形態に係る可搬型ＩＣタグリーダライタ２４の無線通信を説明する図。
【図１６】本発明の一実施形態に係る現場管理端末２２と可搬型ＩＣタグリーダライタ２４の通信方法を説明する図。
【図１７】本発明の一実施形態に係る動作環境設定ファイルのデータ構成の具体例を示す図。
【図１８】本発明の一実施形態に係る動作環境設定ファイルのデータ構成の具体例を示す図。
【図１９】本発明の一実施形態に係る動作環境設定ファイルのデータ構成の具体例を示す図。
【図２０】本発明の一実施形態に係る動作環境設定ファイルのデータ構成の具体例を示す図。
【図２１】本発明の一実施形態に係る動作環境設定ファイルのデータ構成の具体例を示す図。
【図２２】本発明の一実施形態に係る動作環境設定ファイルのデータ構成の具体例を示す図。
【図２３】本発明の一実施形態に係る動作環境設定ファイルのデータ構成の具体例を示す図。
【図２４】本発明の一実施形態に係る物品・機材管理システムにおける利用申請処理の具体例を示すフロー図。
【図２５】本発明の一実施形態に係る物品・機材管理システムにおける貸出・返却処理の具体例を示すフロー図。
【図２６】本発明の一実施形態に係る物品・機材管理システムにおける校正依頼処理の具体例を示すフロー図。
【図２７】本発明の一実施形態に係る物品・機材管理システムにおける機材情報保管ＤＢ１２１Ａの更新処理の具体例を示すフロー図。
【図２８】本発明の一実施形態に係る物品・機材管理システムにおける作業管理の具体例を示すフロー図。
【図２９】本発明の一実施形態に係る物品・機材管理システムにおける物品位置測定処理の具体例を示すフロー図。
【符号の説明】
【０１１９】
１…センターシステム、
２…現場システム、
３…ＩＣタグ、
１１…管理サーバ、
１２…センター管理端末、
１３…固定型ＩＣタグリーダライタ、
１４…スキャナ、
２１…利用者端末、
２２…現場管理端末、
２３…固定型ＩＣタグリーダライタ、
２４…可搬型ＩＣタグリーダライタ、
２５…ＧＰＳ端末、
１２１…マスターＤＢ、
１２１Ａ…機材情報保管ＤＢ、
１２１Ｂ…地図情報保管ＤＢ、
１２１Ｃ…文書管理保存ＤＢ、
１２１Ｄ…利用申請受付番号保管ＤＢ、
１２１Ｅ…文書管理番号保管ＤＢ、
２２１…レプリカＤＢ、
２２１Ａ…機材情報保管ＤＢ、
２２１Ｂ…地図情報保管ＤＢ。
【図３】
2009012975.tif 000003
【図４】
2009012975.tif 000004
【図１４】
2009012975.tif 000005
【図１５】
2009012975.tif 000006
【図１６】
2009012975.tif 000007
【図１７】
2009012975.tif 000008
【図１８】
2009012975.tif 000009
【図１９】
2009012975.tif 000010
【図２０】
2009012975.tif 000011
【図２１】
2009012975.tif 000012
【図２２】
2009012975.tif 000013
【図２３】
2009012975.tif 000014
【図２４】
2009012975.tif 000015
【図２５】
2009012975.tif 000016
【図２６】
2009012975.tif 000017
【図２７】
2009012975.tif 000018
【図２８】
2009012975.tif 000019
【図２９】
2009012975.tif 000020
【図１】
2009012975.tif 000021
【図２】
2009012975.tif 000022
【図５】
2009012975.tif 000023
【図６】
2009012975.tif 000024
【図７】
2009012975.tif 000025
【図８】
2009012975.tif 000026
【図９】
2009012975.tif 000027
【図１０】
2009012975.tif 000028
【図１１】
2009012975.tif 000029
【図１２】
2009012975.tif 000030
【図１３】
2009012975.tif 000031